(57)【要約】【課題】ファクシミリ機能を備えることで、集客力を上げ、利益を向上することができる自動販売機を提供する。【解決手段】貨幣もしくは紙幣を投入することで商品を購入させ、外部から原稿を挿入可能にし、挿入された原稿から読み取った送信データをファクシミリ通信によってファクシミリ通信網１００を介して送信する一方、ファクシミリ通信網１００を介してファクシミリ通信によって受信データを受信すると共に、受信データを所定の用紙に記録する。【選択図】図１
2008305182.tif 000002
【特許請求の範囲】
【請求項１】
筐体と、
前記筐体内部に外部から視認可能に設けられた商品見本と、
前記筐体前面に設けられ、前記商品見本に対応する商品選択ボタンと、
前記商品選択ボタンが押下されたことを検知するボタン検知手段と、
前記筐体前面に配置され、有価価値を投入可能な投入口と、
前記投入口に前記有価価値が投入されたことを検知する投入検知手段と、
前記商品選択ボタンが押下された場合に、投入検知手段によって検知した有価価値が、商品ごとに予め定められた有価価値に達しているか否かを判定する判定手段と、
前記商品が外部から取得可能に配置される配置口と、
前記判定手段によって、前記予め定められた有価価値に達している判定された場合、前記商品を前記配置口に配置する制御を行う制御手段と、
前記筐体前面に設けられ、外部から原稿を挿入可能な挿入口と、
前記挿入口に挿入された前記原稿から読み取った送信データをファクシミリ通信によってファクシミリ通信網を介して送信する一方、前記ファクシミリ通信網を介してファクシミリ通信によって受信データを受信すると共に、前記受信データを所定の用紙に記録するファクシミリ手段と
を備えることを特徴とするファクシミリ機能付き自動販売機。
【請求項２】
少なくとも外周面がゴム製の素材であり、回動によって前記原稿、及び／又は、前記所定の用紙を搬送するローラと、
前記ローラの温度を検出するローラ温度検出手段と、
前記筐体の内部に配置され、前記商品及び前記ローラの保温及び冷却を行う温度制御手段と
をさらに備え、
前記温度制御手段は、前記ローラの温度を所定の温度範囲内になるように制御することを特徴とする請求項１に記載のファクシミリ機能付き自動販売機。
【請求項３】
外部装置から、ファクシミリ番号を受信するファクシミリ番号受信手段
をさらに備え、
前記ファクシミリ手段は、受信した前記ファクシミリ番号によって前記送信データの送信先を特定することを特徴とする請求項１又は２に記載のファクシミリ機能付き自動販売機。
【請求項４】
前記挿入口を閉塞する閉塞手段と、
前記外部装置から、前記外部装置を特定する特定情報を受信する特定情報受信手段と、
受信した前記特定情報を記憶する記憶手段と、
前記特定情報受信手段が、前記特定情報を受信した場合、前記閉塞手段による前記挿入口の閉塞を解除する制御を行う閉塞制御手段と
をさらに備えることを特徴とする請求項３に記載のファクシミリ機能付き自動販売機。
【請求項５】
前記受信データの送信元のファクシミリ番号を特定する送信元ファクシミリ番号特定手段と、
特定された前記送信元のファクシミリ番号が表示される表示手段と、
前記受信データが前記ファクシミリ手段によって前記所定の用紙に記録されることを禁止する記録禁止手段と、
前記特定情報を受信した場合、前記ファクシミリ番号を表示手段に表示させ、前記記録禁止手段による前記受信データの記録の禁止を解除する制御を行う記録制御手段と
をさらに備えることを特徴とする請求項４に記載のファクシミリ機能付き自動販売機。
【発明の詳細な説明】
【技術分野】
【０００１】
本発明は、ファクシミリ機能を備える自動販売機に関するものである。
【背景技術】
【０００２】
コーヒー、タバコなどの小額商品から書籍、衣料品などの中型商品まで様々な自動販売機が身近なところに設置され、日常生活に欠かせない存在となっている。近年、自動販売機の利用性を向上させるために、自動販売機外部との通信を利用した種々の機能を付加されたものが開示されている。
【０００３】
自動販売機に外部との通信を利用した種々の機能を付加したものとして、例えば、特許文献１〜９に記載の発明がある。特許文献１に記載の発明では、自動販売機のリモートメンテナンスをインターネット通信手段によって行い、更にそのインターネット通信手段を利用する無線ＬＡＮのアクセスポイントおよびＩＰ電話端末のうち少なくともいずれか一つを備えることにより、低コストでＩＰ通信接続サービスシステムおよびＩＰ通信装置を提供できるものが開示されている。
【０００４】
また、特許文献２に記載の発明では、自動販売機に簡易型携帯電話回線端末を設け、通信回線として簡易型携帯電話システム回線を使用できるように構成することにより、自動販売機の設置場所から中央管理装置まで通信回線の確保が容易で通信回線の施設費を低減できるとともに、通信回線として従来の特定小電力無線だけを使用したシステムの場合よりも広範囲に設置された自動販売機群を管理できるという効果を有しているものが開示されている。
【０００５】
また、特許文献３〜８に記載の発明では、携帯電話機と自動販売機との間でデータ通信を行うことにより、携帯電話機を利用して決済処理を行うことができるものが開示されている。
【０００６】
また、特許文献９に記載の発明では、非常通報機能を有しており、非常スイッチを操作すれば、予め登録している特定の警備センターが呼び出すことができるものが開示されている。
【０００７】
【特許文献１】特開２００６−１７４１００号公報
【特許文献２】特開平１０−１０５８０２号公報
【特許文献３】特開２００１−２９７３５７号公報
【特許文献４】特開２００２−０９２５３１号公報
【特許文献５】特開２００２−３３１２２３号公報
【特許文献６】特開２００１−１９５６４２号公報
【特許文献７】特開２００１−３５１１５５号公報
【特許文献８】特開２００１−３３８３２８号公報
【特許文献９】特開平９−０３５１３３号公報
【発明の開示】
【発明が解決しようとする課題】
【０００８】
しかしながら、特許文献１の発明では、自動販売機をアクセスポイントとして利用する場合、自動販売機自体への集客向上効果は期待できない。また、ＩＰ電話端末として利用する場合も、携帯電話機が多く普及されている状況から考えて、自動販売機自体への集客向上もあまり望めないという問題があった。また、特許文献２〜９の発明においても、同様の問題があった。
【０００９】
上記問題に鑑み、本発明の目的は、自動販売機にファクシミリ機能を備えることで、集客力を上げ、利益を向上することができる自動販売機を提供することである。
【課題を解決するための手段及び効果】
【００１０】
上記目的を達成するために、本発明のファクシミリ機能付き自動販売機は、筐体と、前記筐体内部に外部から視認可能に設けられた商品見本と、前記筐体前面に設けられ、前記商品見本に対応する商品選択ボタンと、前記商品選択ボタンが押下されたことを検知するボタン検知手段と、前記筐体前面に配置され、有価価値を投入可能な投入口と、前記投入口に前記有価価値が投入されたことを検知する投入検知手段と、前記商品選択ボタンが押下された場合に、投入検知手段によって検知した有価価値が、商品ごとに予め定められた有価価値に達しているか否かを判定する判定手段と、前記商品が外部から取得可能に配置される配置口と、前記判定手段によって、前記予め定められた有価価値に達している判定された場合、前記商品を前記配置口に配置する制御を行う制御手段と、前記筐体前面に設けられ、外部から原稿を挿入可能な挿入口と、前記挿入口に挿入された前記原稿から読み取った送信データをファクシミリ通信によってファクシミリ通信網を介して送信する一方、前記ファクシミリ通信網を介してファクシミリ通信によって受信データを受信すると共に、前記受信データを所定の用紙に記録するファクシミリ手段とを備えることを特徴とする。
【００１１】
上記の構成によれば、自動販売機がファクシミリの機能を有している。これにより、ファクシミリを有していない利用者がファクシミリを使用したい場合、近くにある自動販売機に行くことで、ファクシミリを利用することができる。また、自動販売機がファクシミリとして利用される際に、相乗効果として自動販売機の商品の購入が期待できる。これにより、自動販売機の集客力を上げ、利益を向上させることができる場合がある。
【００１２】
また、本発明のファクシミリ機能付き自動販売機は、少なくとも外周面がゴム製の素材であり、回動によって前記原稿、及び／又は、前記所定の用紙を搬送するローラと、前記ローラの温度を検出するローラ温度検出手段と、前記筐体の内部に配置され、前記商品及び前記ローラの保温及び冷却を行う温度制御手段とをさらに備え、前記温度制御手段は、前記ローラ温度検出手段が所定の温度範囲外であることを検出した場合、前記ローラの温度を前記温度範囲内になるように制御する構成とされていてもよい。
【００１３】
上記構成によれば、ローラ温度検出手段によってローラの温度が検出され、所定の温度範囲外である場合、温度制御手段によってローラの温度が所定の温度範囲内になるように制御される。ローラの有するゴム素材は高熱に弱いことが多く、例えば、温度の高い日にはゴム素材が変形してしまう場合がある。このため、温度制御手段によって所定の温度範囲内になるように制御されることで、ローラのゴム素材の変形による劣化を防止することができる。
【００１４】
また、本発明のファクシミリ機能付き自動販売機は、外部装置から、ファクシミリ番号を受信するファクシミリ番号受信手段をさらに備え、前記ファクシミリ手段は、受信した前記ファクシミリ番号によって前記送信データの送信先を特定する構成とされていてもよい。
【００１５】
上記構成によれば、送信データの送信先を特定するファクシミリ番号を、外部装置から受信することができるため、自動販売機にファクシミリ番号を入力する手段が不要となり、製造コストを低減できる。
【００１６】
また、本発明のファクシミリ機能付き自動販売機は、前記挿入口を閉塞する閉塞手段と、前記外部装置から、前記外部装置を特定する特定情報を受信する特定情報受信手段と、受信した前記特定情報を記憶する記憶手段と、前記特定情報受信手段が、前記特定情報を受信した場合、前記閉塞手段による前記挿入口の閉塞を解除する制御を行う閉塞制御手段とをさらに備える構成とされていてもよい。
【００１７】
上記構成によれば、外部装置を特定する特定情報を受信することで、自動販売機の挿入口の閉塞が解除され、利用者は原稿を挿入することができる。これにより、挿入口へ異物を挿入する等の破損行為を防止することができると共に、自動販売機の管理者等は利用者の外部装置を特定できるため、利用者による不正行為を抑制できる場合がある。
【００１８】
また、本発明のファクシミリ機能付き自動販売機は、前記受信データの送信元のファクシミリ番号を特定する送信元ファクシミリ番号特定手段と、特定された前記送信元のファクシミリ番号が表示される表示手段と、前記受信データが前記ファクシミリ手段によって前記所定の用紙に記録されることを禁止する記録禁止手段と、前記特定情報を受信した場合、前記ファクシミリ番号を表示手段に表示させ、前記記録禁止手段による前記受信データの記録の禁止を解除する制御を行う記録制御手段とをさらに備える構成とされていてもよい。
【００１９】
上記構成によれば、外部装置を特定する特定情報を受信した場合のみ、表示手段に送信元のファクシミリ番号が表示され、受信データが所定の用紙に記録される。これにより、利用者は送信元のファクシミリ番号を確認した後に、ファクシミリを受け取ることができると共に、自動販売機の管理者等は利用者の外部装置を特定できるため、利用者による不正行為を抑制できる場合がある。
【発明を実施するための最良の形態】
【００２０】
（実施の形態）
本発明の実施の形態を図１乃至図☆に基づいて以下に説明する。本実施の形態に係る自動販売機１０は、所謂『飲料水自動販売機』である。
【００２１】
（自動販売機１０の機械的構成）
図１は、自動販売機１０の外観を示す斜視図である。自動販売機１０はを介し、自動販売機１０の全体を形成している筐体１１の正面上部には、中空に形成された展示領域１２が設けられている。展示領域１２の内部には、購入可能な飲料水の見本となる商品見本１３が複数配される。図１に示すように本実施例においては、横１列計７個の商品見本１３が配されているが、商品見本１３の配置及び数はこれに限定されない。
【００２２】
筐体１１前面の展示領域１２の下方には、商品見本１３と１対１に対応するように商品選択ボタン１４が配されている。また、図１には図示しない（図２参照）が、商品選択ボタン１４の内部には、商品が購入可能であることを報知するＬＥＤランプ２５が設けられている。
【００２３】
筐体１１前面の略中央右側には、コイン投入口１５及び紙幣投入口１６が配置されている。コイン投入口１５は、貨幣を筐体１１内に投入可能にしている。紙幣投入口１６は、紙幣を筐体１１内に投入可能にしている。
【００２４】
筐体１１前面の略中央左側には、ファクシミリ装置２０が配置されている。ファクシミリ装置領域２０については、後に詳述する。
【００２５】
コイン投入口１５の下方には、コイン排出口１８が配置されている。コイン排出口１８は、コイン投入口１５及び紙幣投入口１６から投入されたコイン及び紙幣の合計から、選択した商品の代金を引いた貨幣が排出されるようになっている。
【００２６】
筐体１１前面の下部には、商品配置口１７が設けられている。商品配置口１７は、利用者が購入した商品が外部から取り出し可能に配置される。
【００２７】
（ファクシミリ装置２０の機械的構成）
ここで、図２を参照して、ファクシミリ装置２０について説明する。ファクシミリ装置２０は、原稿挿入口２３と、排出口２４と、ディスプレイ２１と、赤外線通信ポート２２を有している。ファクシミリ装置２０は、原稿挿入口２３に挿入された原稿から読み取った送信データをファクシミリ通信によって通信回線網１００を介して外部のファクシミリ４０へ送信する一方、通信回線網１００を介してファクシミリ通信によって外部のファクシミリ４０から受信データを受信すると共に、受信データを所定の用紙に記録するようになっている。
【００２８】
原稿挿入口２３は、紙状の原稿を筐体１１内部へ挿入可能に設けられている。具体的に、原稿挿入口２３は、外形状が円柱状の２つのローラ２３ａ・２３ａを有している。ローラ２３ａ・２３ａはゴム素材で形成されており、上下に設けられたローラ２３ａ・２３ａが、お互い逆方向に回動することによって、原稿を挟み込み、摩擦力で筐体１１内部へ挿入するようになっている。挿入された原稿は、記載された内容がファクシミリ通信によって、特定の送信先に送信されるようになっている。
【００２９】
排出口２４は、原稿挿入口２３に挿入された原稿を排出可能に設けられている。具体的に、排出口２４は、外形状が円柱状の２つのローラ２４ａ・２４ａを有している。上下に設けられたローラ２４ａ・２４ａが、お互い逆方向に回動することによって、原稿を挟み込み、摩擦力で筐体１１外部へ排出するようになっている。また、排出口２４は、原稿と同様に、受信した受信データを記録した用紙を、排出するようになっている。
【００３０】
筐体１１内部には、ローラ２３ａ・２３ａ、及びローラ２４ａ・２４ａの温度を検出する温度センサ２７（図３参照）が設けられている。また、筐体内部には、冷風及び温風を送出し、筐体１１内部に格納される商品の保温及び冷却を行う温度制御装置２８が設けられている。図示しないが、温度制御装置２８は、ローラ２３ａ・２３ａ、及びローラ２４ａ・２４ａに対して、冷風及び温風を送出することが可能にされており、温度センサ２７によって検出された温度が所定の温度範囲内でない場合、温度制御装置２８は、冷風若しくは温風をローラ２３ａ・２３ａ、及びローラ２４ａ・２４ａに対して送出し、ローラ２３ａ・２３ａ、及びローラ２４ａ・２４ａを所定の温度範囲内とさせるようになっている。
【００３１】
上記構成によると、温度センサ２７によってローラ２３ａ・２３ａ、及びローラ２４ａ・２４ａの温度が検出され、温度制御装置２８によって、ローラ２３ａ・２３ａ、及びローラ２４ａ・２４ａが所定の温度範囲内になるように制御される。ローラ２３ａ・２３ａ、及びローラ２４ａ・２４ａの有するゴム素材は高熱に弱いことが多く、例えば、温度の高い日にはゴム素材が変形してしまう場合がある。このため、温度制御装置２８によって所定の温度範囲内になるように冷風及び温風が送出されることで、ローラ２３ａ・２３ａ、及びローラ２４ａ・２４ａのゴム素材の変形による劣化を防止することができる。
【００３２】
ディスプレイ２１は、利用者への案内情報等が表示されると共に、ファクシミリを送信する送信先のファクシミリ番号、及びファクシミリを受信する際の送信元のファクシミリ番号が表示されるようになっている。
【００３３】
赤外線通信ポート２２は、赤外線通信機能を有する携帯電話機３０との赤外線通信を可能にしている。赤外線通信ポート２２は、携帯電話機３０から赤外線通信により、携帯電話機３０のユーザＩＤ（ＵＩＤ）及び、ファクシミリ送信を行う際の送信先のファクシミリ番号を受信可能にされている。受信したＵＩＤは、後述のＨＤＤ５４に記憶されるようになっている。
【００３４】
なお、本実施の形態において、赤外線通信はＩｒＤＡ（Ｉｎｆｒａｒｅｄ  Ｄａｔａ  Ａｓｓｏｃｉａｔｉｏｎ）  ＤＡＴＡで行うが、これに限定されることはない。また、赤外線通信に限定されることはなく、例えば、ＲＦＩＤ（Ｒａｄｉｏ  Ｆｒｅｑｕｅｎｃｙ  ＩＤｅｎｔｉｆｉｃａｔｉｏｎ）等の非接触型ＩＣを用いるものであっても良いし、ＵＳＢ（Ｕｎｉｖｅｒｓａｌ  Ｓｅｒｉａｌ  Ｂｕｓ）等の有線で接続するものでも良い。
【００３５】
上記構成によると、送信データの送信先を特定するファクシミリ番号を、携帯電話機３０から受信することができるため、プッシュボタン等のファクシミリ番号を入力する手段が不要となり、製造コストを低減できる。
【００３６】
また、図２に示すように、ファクシミリ装置２０は、前面を覆うようにカバー２６が設けられている（図１には図示せず）。カバー２６は、透明のアクリル樹脂で形成されており、図示しないが、ファクシミリ装置が覆われた状態であっても、カバー２６を介して内部が視認可能にされている。
【００３７】
図示しないが、カバー２６は、下部にヒンジを備えており、上部を引き出すことで、開閉可能に設けられている。また、カバー２６は、閉じられた状態の上部に右側に突出する突出部２６ａを有している。また筐体１１には、突出部２６ａに係合する係合部１１ａを有している。突出部２６ａが係合部１１ａに係合している状態（カバー２６が閉じられた状態）において、突出部２６ａを前面方向に引き出すことを許容しないロック機構２９が設けられている（図示せず）。これにより、原稿挿入口２３、排出口２４等を閉塞することができるようになっている。ロック機構２９は、赤外線通信ポート２２が携帯電話機３０から携帯電話機３０のＵＩＤを受信した場合、突出部２６ａを前面方向に引き出すことを許容する（ロック機構２９の解除）ようになっている。
【００３８】
上記のように構成されている自動販売機１０は、通信回線網１００に接続されており、通信回線網１００を介して、例えば、外部のファクシミリ４０と、ファクシミリ通信を行うことができるようになっている。
【００３９】
上記構成によると、携帯電話機３０を特定するユーザＩＤ（ＵＩＤ）を受信することで、自動販売機１０の原稿挿入口２３、排出口２４等のロック機構２９による閉塞が解除され、利用者は原稿を挿入することができる。これにより、原稿挿入口２３、排出口２４等へ異物を挿入する等の破損行為を防止することができる。
【００４０】
また、上記構成によると、携帯電話機３０を特定するユーザＩＤ（ＵＩＤ）を受信した場合のみ、ディスプレイ２１に送信元のファクシミリ番号が表示され、受信データが所定の用紙に記録される。これにより、利用者は送信元のファクシミリ番号を確認した後に、ファクシミリを受け取ることができると共に、利用者のＨＤＤ５４に記憶されたＵＩＤによって携帯電話機３０を特定できるため、不正行為を抑制できる場合がある。
【００４１】
上記のように、自動販売機１０がファクシミリの機能を有している。これにより、ファクシミリを有していない利用者がファクシミリを使用したい場合、近くにある自動販売機１０に行くことで、ファクシミリを利用することができる。また、自動販売機１０がファクシミリとして利用される際に、相乗効果として自動販売機１０の商品の購入が期待できる。これにより、自動販売機１０の集客力を上げ、利益を向上させることができる場合がある。
【００４２】
（自動販売機１０の電気的構成）
上記の自動販売機１０は、図３に示すように、回路基板上に配置されたマイクロコンピュータ４９を主たる構成要素としている。マイクロコンピュータ４９、予め設定されたプログラムに従って制御動作を行うＣＰＵ５０と、一時記憶として用いられるＲＡＭ５２、プログラム等が格納されているＲＯＭ５３と、通信回線網１００と接続され、外部とファクシミリ通信を行う通信ポート５１と、Ｉ／Ｏポート５５とを有している。
【００４３】
上記のマイクロコンピュータ４９が制御する主要なアクチュエータは、Ｉ／Ｏポート５５を介して送信される制御信号により制御される。主要なアクチュエータとしては、ＨＤＤ５４と、ＬＥＤランプ２５と、温度センサ２７と、温度制御装置２８と、ローラ２３ａ・２３ａ及びローラ２４ａ・２４ａを駆動させるステッピングモータ６３と、スキャナ６０と、プリンタ６１と、ロック機構２９と、ディスプレイ２１と、商品配置装置６２とがある。
【００４４】
ＨＤＤ５４は記録装置であり、前述の携帯電話機３０のＵＩＤ等が格納される。スキャナ６０は、挿入された原稿の読取走査を行う。プリンタ６１は、受信した受信データの記録走査を行う。
【００４５】
さらに、ＬＥＤランプ２５を駆動制御するランプ駆動回路５７、温度センサ２７、及び温度制御装置２８を制御する温度制御回路５６、ステッピングモータ６３を駆動制御するモータ駆動回路５８、スキャナ６０、及びプリンタ６１を駆動制御するファクシミリ駆動回路５９、ロック機構２９を駆動制御するロック機構制御回路６５、ディスプレイ２１を駆動制御する表示制御回路６４、及び商品配置装置６２を駆動制御する商品配置駆動回路６６がＩ／Ｏポート５５を介してＣＰＵ３１の出力部に接続されている。これらの駆動回路は、それぞれＣＰＵ５０から出力される駆動指令等の制御信号を受けて、各アクチュエータの動作を制御する。
【００４６】
また、マイクロコンピュータ４９は、制御指令を発生するために必要な入力信号を発生する入力信号発生手段に接続されている。主な入力信号発生手段としては、ボタンセンサ６７、投入料金センサ６８、原稿挿入センサ６９、及び赤外線通信ポート２２がある。これらもＩ／Ｏポート５５を介してＣＰＵ５０に接続されている。
【００４７】
ボタンセンサ６７は、商品選択ボタン１４の押下操作を検出し、各商品選択ボタン１４毎に決められた商品信号をマイクロコンピュータ４９に送信する。投入料金センサ６８は、コイン投入口１５及び／又は紙幣投入口１６に投入された貨幣及び／又は紙幣を検知し、貨幣、及び紙幣毎に決められた信号をマイクロコンピュータ４９に送信する。
【００４８】
原稿挿入センサ６９は、原稿挿入口２３に原稿が挿入されたか否かを検出する。原稿が挿入された場合、モータ駆動回路５８によりステッピングモータ６３が駆動され、ローラ２３ａ・２３ａが回動することにより、原稿が筐体１１内部へ挿入される。赤外線通信ポート２２は、携帯電話３０により、ファクシミリ送信を行う際の送信先のファクシミリ番号、及び、携帯電話３０のＵＩＤが入力される。
【００４９】
携帯電話３０のＵＩＤが赤外線通信ポート２２を介して入力された場合、ロック機構２９が、ロック機構制御回路６５によって制御され、係合部１１ａに係合している突出部２６ａのロックが解除される。
【００５０】
（自動販売機１０の動作）
【００５１】
利用者によって、コイン投入口１５、及び／又は紙幣投入口１６に投入された貨幣、及び紙幣の合計が、商品の金額を越えていれば上記のランプ駆動回路５７により、ＬＥＤランプ２５が点灯されその商品が購入可能であることが報知される。
【００５２】
商品が購入可能であるとき、商品選択ボタン１４が押下された場合、商品配置装置６２が、商品配置駆動回路６６によって駆動制御され、商品配置口１７に商品が配置される。
【００５３】
次に、図４に示すファクシミリ送信処理ルーチンのフローチャートを参照して、マイクロコンピュータ４９のＣＰＵ５０の制御動作について説明する。
【００５４】
（ファクシミリ送信処理ルーチン）
初めに、ＣＰＵ５０は、携帯電話機３０から赤外線通信ポートを介して、携帯電話機３０のＵＩＤを受信したか否かを判定する（Ａ１）。赤外線通信ポート２２から、携帯電話機３０のＵＩＤを受信しない場合（Ａ１：ＮＯ）、本ルーチンを終了する。ＵＩＤを受信した場合（Ａ１：ＹＥＳ）、ロック機構２９の解除を行う（Ａ２）。具体的には、ＣＰＵ５０は、受信したＵＩＤをＨＤＤ５４に記憶すると共に、ロック機構駆動回路６５に制御信号を送信し、ロック機構２９を解除するように制御させることで、利用者がカバー２６を開くことをできるようにする。
【００５５】
次に、利用者によって原稿が挿入されたか否かを判定する（Ａ３）。具体的には、ＣＰＵ５０は、所定時間の間に利用者によって原稿が原稿挿入口２３に挿入され、原稿挿入センサ６９によって検知されたか否かを判定する。利用者によって原稿が挿入されない場合（Ａ３：ＮＯ）、本ルーチンを終了する。
【００５６】
一方、利用者によって原稿が挿入された場合（Ａ３：ＹＥＳ）、原稿の読取処理を行う（Ａ４）。具体的には、ＣＰＵ５０は、モータ駆動回路５８に制御信号を送信し、ステッピングモータ６３を回動させることで、ローラ２３ａを回動させ、原稿を筐体１１内部へ挿入する。さらに、挿入した原稿に対し、スキャナ６０によって読取走査を行わせることで、原稿を読み取り送信データを生成する。
【００５７】
次に、携帯電話機３０から赤外線通信ポートを介して、送信先を特定するファクシミリ番号を受信したか否かを判定する（Ａ５）。ファクシミリ番号を受信しない場合（Ａ５：ＮＯ）、本ルーチンを終了する。ファクシミリ番号を受信した場合（Ａ５：ＹＥＳ）、ファクシミリ番号をディスプレイ２１に表示する（Ａ６）。具体的には、ＣＰＵ５０は、表示制御装置６４に制御信号を送信し、ディスプレイ２１にファクシミリ番号を表示させる。その後、送信データをファクシミリ番号によって特定された送信先に通信回線網１００を介して送信し、本ルーチンを終了する。
【００５８】
これによると、送信データの送信先を特定するファクシミリ番号を、携帯電話機３０から受信することができるため、プッシュボタン等のファクシミリ番号を入力する手段が不要となり、製造コストを低減できる。
【００５９】
これによると、携帯電話機３０を特定するユーザＩＤ（ＵＩＤ）を受信することで、自動販売機１０の原稿挿入口２３、排出口２４等のロック機構２９による閉塞が解除され、利用者は原稿を挿入することができる。この結果、原稿挿入口２３、排出口２４等へ異物を挿入する等の破損行為を防止することができる。
【００６０】
次に、図５に示すファクシミリ受信処理ルーチンのフローチャートを参照して、マイクロコンピュータ４９のＣＰＵ５０の制御動作について説明する。
【００６１】
（ファクシミリ受信処理ルーチン）
初めに、ＣＰＵ５０は、通信回線網１００を介して、受信データを受信したか否かを判定する（Ｂ１）。受信データを受信しない場合（Ｂ１：ＮＯ）、本ルーチンを終了する。受信データを受信した場合（Ｂ１：ＮＯ）、ディスプレイ２１に受信データの送信元ファクシミリ番号を表示する（Ｂ２）。具体的には、ＣＰＵ５０は、受信データに含まれる送信元ファクシミリ番号を取得し、送信元ファクシミリ番号を含む制御信号を表示制御回路６４に送信することで、ディスプレイ２１に送信元ファクシミリ番号を表示させる。
【００６２】
次に、携帯電話機３０から赤外線通信ポートを介して、携帯電話機３０のＵＩＤを受信したか否かを判定する（Ｂ３）。赤外線通信ポート２２から、携帯電話機３０のＵＩＤを受信しない場合（Ｂ３：ＮＯ）、本ルーチンを終了する。
【００６３】
ＵＩＤを受信した場合（Ｂ３：ＹＥＳ）、ロック機構２９の解除を行う（Ｂ４）。具体的に、ＣＰＵ５０は、受信したＵＩＤをＨＤＤ５４に記憶すると共に、ロック機構駆動回路６５に制御信号を送信し、ロック機構２９を解除するように制御させることで、利用者がカバー２６を開くことをできるようにする。
【００６４】
次に、受信データを筐体１１内部に用意された用紙に記録走査を行う（Ｂ５）。具体的に、ＣＰＵ５０は、受信データを含む制御信号をファクシミリ駆動回路５９に送信し、プリンタに受信データの記録走査を行わせる。その後、記録を行った用紙を排出する（Ｂ６）。具体的に、ＣＰＵ５０は、モータ駆動回路５８に制御信号を送信し、ステッピングモータ６３を回動させることで、ローラ２４ａを回動させ、記録を行った用紙を排出口２４から筐体１１び外部へ排出し、本ルーチンを終了する。
【００６５】
また、これによると、携帯電話機３０を特定するユーザＩＤ（ＵＩＤ）を受信した場合のみ、ディスプレイ２１に送信元のファクシミリ番号が表示され、受信データが所定の用紙に記録される。これにより、利用者は送信元のファクシミリ番号を確認した後に、ファクシミリを受け取ることができると共に、利用者のＨＤＤ５４に記憶されたＵＩＤによって携帯電話機３０を特定できるため、不正行為を抑制できる場合がある。
【００６６】
次に、図６に示すローラ温度調整処理ルーチンのフローチャートを参照して、マイクロコンピュータ４９のＣＰＵ５０の制御動作について説明する。なお、下記ルーチンは、図示していないが、定期的に一定時間ごとに行われるようになっている。
【００６７】
（ローラ温度調整処理ルーチン）
初めに、ＣＰＵ５０は、ローラ２３ａ及びローラ２４ａの温度を検知する（Ｃ１）。具体的に、ＣＰＵ５０は、温度制御回路５６に制御信号を送信し、温度センサ２７からローラ２３ａ及びローラ２４ａの温度を取得する。次に、検知した温度が所定の温度範囲であるか否かを判定する（Ｃ２）。具体的に、ＣＰＵ５０は、予めＲＯＭ５３に記憶された温度範囲と検知した温度とを比較する。検知した温度が所定の温度範囲である場合（Ｃ２：ＹＥＳ）、本ルーチンを終了する。
【００６８】
一方、検知した温度が所定の温度範囲でない場合（Ｃ２：ＮＯ）、検知した温度が所定の温度範囲よりも低いか否かを判定する（Ｃ３）。検知した温度が所定の温度範囲よりも低い場合（Ｃ３：ＹＥＳ）、ローラ２３ａ及びローラ２４ａへ温風を送出する（Ｃ４）。具体的に、ＣＰＵ５０は、温度制御回路５６に制御信号を送信し、温度制御装置２８にローラ２３ａ及びローラ２４ａへ温風を送出させる。その後、温風を送出したまま、所定時間待機する（Ｃ５）。
【００６９】
一方、ステップＣ３において、検知した温度が所定の温度範囲よりも高い場合（Ｃ３：ＮＯ）、ローラ２３ａ及びローラ２４ａへ冷風を送出する（Ｃ６）。具体的に、ＣＰＵ５０は、温度制御回路５６に制御信号を送信し、温度制御装置２８にローラ２３ａ及びローラ２４ａへ冷風を送出させる。その後、冷風を送出したまま、所定時間待機する（Ｃ７）。ステップＣ５、及びステップＣ７の後、Ｃ１〜Ｃ７の動作を繰り返す。
【００７０】
これによると、温度センサ２７によってローラ２３ａ・２３ａ、及びローラ２４ａ・２４ａの温度が検出され、温度制御装置２８によって、ローラ２３ａ・２３ａ、及びローラ２４ａ・２４ａが所定の温度範囲内になるように制御される。ローラ２３ａ・２３ａ、及びローラ２４ａ・２４ａの有するゴム素材は高熱に弱いことが多く、例えば、温度の高い日にはゴム素材が変形してしまう場合がある。その結果、温度制御装置２８によって所定の温度範囲内になるように冷風及び温風が送出されることで、ローラ２３ａ・２３ａ、及びローラ２４ａ・２４ａのゴム素材の変形による劣化を防止することができる。
【００７１】
このように、前述のように動作する自動販売機１０は、ファクシミリの機能を有している。これにより、ファクシミリを有していない利用者がファクシミリを使用したい場合、近くにある自動販売機１０に行くことで、ファクシミリを利用することができる。また、自動販売機１０がファクシミリとして利用される際に、相乗効果として自動販売機１０の商品の購入が期待できる。これにより、自動販売機１０の集客力を上げ、利益を向上させることができる場合がある。
【００７２】
（本実施の形態の概要）
以上のように、本実施の形態の自動販売機１０は、筐体（筐体１１）と、筐体内部に外部から視認可能に設けられた商品見本（商品見本１３）と、筐体前面に設けられ、商品見本に対応する商品選択ボタン（商品選択ボタン１４）と、商品選択ボタンが押下されたことを検知するボタン検知手段（ＣＰＵ５０、ボタンセンサ６７等）と、筐体前面に配置され、有価価値を投入可能な投入口（コイン投入口１５、紙幣投入口１６）と、投入口に有価価値が投入されたことを検知する投入検知手段（ＣＰＵ５０、投入料金センサ６８等）と、商品選択ボタンが押下された場合に、投入検知手段によって検知した有価価値が、商品ごとに予め定められた有価価値に達しているか否かを判定する判定手段（ＣＰＵ５０等）と、商品が外部から取得可能に配置される配置口（商品配置口１７）と、判定手段によって、予め定められた有価価値に達している判定された場合、商品を配置口に配置する制御を行う制御手段（ＣＰＵ５０等）と、筐体前面に設けられ、外部から原稿を挿入可能な挿入口（原稿挿入口２３）と、挿入口に挿入された原稿から読み取った送信データをファクシミリ通信によってファクシミリ通信網を介して送信する一方、ファクシミリ通信網を介してファクシミリ通信によって受信データを受信すると共に、受信データを所定の用紙に記録するファクシミリ手段（ＣＰＵ５０、ファクシミリ駆動回路５９等）とを備える構成にされている。
【００７３】
上記の構成によれば、自動販売機がファクシミリの機能を有している。これにより、ファクシミリを有していない利用者がファクシミリを使用したい場合、近くにある自動販売機に行くことで、ファクシミリを利用することができる。また、自動販売機がファクシミリとして利用される際に、相乗効果として自動販売機の商品の購入が期待できる。これにより、自動販売機の集客力を上げ、利益を向上させることができる場合がある。
【００７４】
また、本実施の形態の自動販売機１０において、少なくとも外周面がゴム製の素材であり、回動によって原稿、及び／又は、所定の用紙を搬送するローラ（ローラ２３ａ・２３ａ、ローラ２４ａ・２４ａ）と、ローラの温度を検出するローラ温度検出手段（ＣＰＵ５０、温度センサ２７等）と、筐体の内部に配置され、商品及びローラの保温及び冷却を行う温度制御手段（ＣＰＵ５０、温度制御装置２８）とをさらに備え、温度制御手段は、ローラ温度検出手段が所定の温度範囲外であることを検出した場合、ローラの温度を温度範囲内になるように制御する構成にされている。
【００７５】
上記構成によれば、ローラ温度検出手段によってローラの温度が検出され、所定の温度範囲外である場合、温度制御手段によってローラの温度が所定の温度範囲内になるように制御される。ローラの有するゴム素材は高熱に弱いことが多く、例えば、温度の高い日にはゴム素材が変形してしまう場合がある。このため、温度制御手段によって所定の温度範囲内になるように制御されることで、ローラのゴム素材の変形による劣化を防止することができる。
【００７６】
また、本実施の形態の自動販売機１０において、外部装置（携帯電話３０等）から、ファクシミリ番号を受信するファクシミリ番号受信手段（ＣＰＵ５０等）をさらに備え、ファクシミリ手段は、受信したファクシミリ番号によって送信データの送信先を特定する構成とされていてもよい。
【００７７】
上記構成によれば、送信データの送信先を特定するファクシミリ番号を、外部装置から受信することができるため、自動販売機にファクシミリ番号を入力する手段が不要となり、製造コストを低減できる。
【００７８】
また、本実施の形態の自動販売機１０において、挿入口を閉塞する閉塞手段（ロック機構２９等）と、外部装置から、外部装置を特定する特定情報を受信する特定情報受信手段（赤外線通信ポート２２）と、受信した特定情報を記憶する記憶手段（ＨＤＤ５４）と、特定情報受信手段が、特定情報を受信した場合、閉塞手段による挿入口の閉塞を解除する制御を行う閉塞制御手段（ＣＰＵ５０、ロック機構制御回路６５等）とをさらに備える構成にされていてもよい。
【００７９】
上記構成によれば、外部装置を特定する特定情報を受信することで、自動販売機の挿入口の閉塞が解除され、利用者は原稿を挿入することができる。これにより、挿入口へ異物を挿入する等の破損行為を防止することができると共に、自動販売機の管理者等は利用者の外部装置を特定できるため、利用者による不正行為を抑制できる場合がある。
【００８０】
また、本実施の形態の自動販売機１０において、受信データの送信元のファクシミリ番号を特定する送信元ファクシミリ番号特定手段（ＣＰＵ５０等）と、特定された送信元のファクシミリ番号が表示される表示手段（ディスプレイ２１）と、受信データがファクシミリ手段によって所定の用紙に記録されることを禁止する記録禁止手段（ＣＰＵ５０等）と、特定情報を受信した場合、ファクシミリ番号を表示手段に表示させ、記録禁止手段による受信データの記録の禁止を解除する制御を行う記録制御手段（ＣＰＵ５０等）とをさらに備える構成とされていてもよい。
【００８１】
上記構成によれば、外部装置を特定する特定情報を受信した場合のみ、表示手段に送信元のファクシミリ番号が表示され、受信データが所定の用紙に記録される。これにより、利用者は送信元のファクシミリ番号を確認した後に、ファクシミリを受け取ることができると共に、自動販売機の管理者等は利用者の外部装置を特定できるため、利用者による不正行為を抑制できる場合がある。
【００８２】
（本実施の形態の変形例）
以上、本発明の実施例を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００８３】
例えば、本実施の形態において、ローラ２３ａ・２３ａ及びローラ２４ａ・２４ａの二つの温度を検出していたが、これに限定されず、このうち何れか１つ以上であればよく、これにより、コストを軽減するものであってもよい。
【００８４】
また、例えば、外部装置を特定する特定情報として、携帯電話機のＵＩＤを使用したが、これに限定されず、例えば携帯電話機の電話番号であってもよい。また、これらの特定情報のデータ形式として、例えばＸＭＬを使用することで、様々なプログラム言語に対応できるようにしたものであってもよい。
【００８５】
また、本実施の形態で言及しなかったファクシミリ通信の代金について、コイン投入口１５、紙幣投入口１６から支払うものであってもよいし、ＲＦＩＤ等の非接触型ＩＣを用いて支払うものにすることで、利用者の利便性を高めるものであってもよい。
【００８６】
また、本実施の形態において、閉塞制御手段として、上述したようなカバー２６を設けたが、これに限定されず、例えば、シャッタ機構を設けるものであってもよい。
【００８７】
また、本実施の形態において、自動販売機としての機能と、ファクシミリとしての機能とを、同じマイクロコンピュータ４９にて制御していたが、これに限定されず、それぞれに制御機構を設けることで、例えばいずれかが故障したとしても、もう一方が正常に動作するようにしたものであってよい。
【図面の簡単な説明】
【００８８】
【図１】本実施の形態の自動販売機の斜視図。
【図２】本実施のファクシミリ装置の正面図。
【図３】自動販売機の回路の構成を示すブロック図。
【図４】ファクシミリ送信処理ルーチンのフローチャートを示す図。
【図５】ファクシミリ受信処理ルーチンのフローチャートを示す図。
【図６】ローラ温度調整処理ルーチンのフローチャートを示す図。
【符号の説明】
【００８９】
１０    自動販売機
１１    筐体
１３    商品見本
１４    商品選択ボタン
１５    コイン投入口
１６    紙幣投入口
１７    商品配置口
２１    ディスプレイ
２２    赤外線通信ポート
２３    原稿挿入口
２３ａ・２３ａ    ローラ
２４ａ・２４ａ    ローラ
２７    温度センサ
２８    温度制御装置
２９    ロック機構
３０    携帯電話
４０    ファクシミリ
５０    ＣＰＵ
５４    ＨＤＤ
５９    ファクシミリ駆動回路
６５    ロック機構制御回路
６７    ボタンセンサ
６８    投入料金センサ
１００    通信回線網
【図１】
2008305182.tif 000003
【図２】
2008305182.tif 000004
【図３】
2008305182.tif 000005
【図４】
2008305182.tif 000006
【図５】
2008305182.tif 000007
【図６】
2008305182.tif 000008